(57)【要約】【課題】体内の脂質代謝の向上を図ることで、皮下脂肪や内臓脂肪等を効果的に除去できる体内脂肪刺激装置を提供する。【解決手段】体内脂肪刺激装置１は、体脂肪の燃焼作用を誘起させる物質である水溶性ビタミンＣ誘導体が含浸される含浸部９ａを表面に有し、この含浸部９ａを腹部の皮膚表面に接触させつつ巻回されるイオン導入電極９を備えるウエスト装着用ベルト２と、大腿部の皮膚表面に接触させるようにして巻回される基準電極１２を備える大腿装着用ベルト３と、イオン導入電極９と基準電極１２との間に電圧を印加するコントロール装置５とを有する。これにより、皮膚内にイオン導入されたビタミンＣにより体内の皮下脂肪が刺激されて脂質代謝が向上し、皮下脂肪、内臓脂肪が効果的に除去される。【選択図】図２
2005253754.tif 000002
【特許請求の範囲】
【請求項１】
体脂肪の燃焼作用を誘起させる物質を含む薬液が含浸される含浸部を表面に有し、この含浸部を身体の体脂肪刺激対象部分の皮膚表面に接触させるようにして配置されるイオン導入電極と、
前記体脂肪刺激対象部分と異なる部位の皮膚表面に接触させるようにして配置される基準電極と、
前記イオン導入電極と前記基準電極との間に電圧を印加する電圧印加手段と
を具備することを特徴とする体内脂肪刺激装置。
【請求項２】
前記体脂肪の燃焼作用を誘起させる物質は、水溶性ビタミンＣ誘導体であることを特徴とする請求項１記載の体内脂肪刺激装置。
【請求項３】
前記身体に接触させた前記イオン導入電極と前記基準電極との間を流れる電流の値は、０．０１〜３ｍＡの範囲内に設定されることを特徴とする請求項１又は２記載の体内脂肪刺激装置。
【請求項４】
前記含浸部は、前記イオン導入電極の本体部分と別体で形成されていることを特徴とする請求項１ないし３のいずれか１項に記載の体内脂肪刺激装置。
【請求項５】
前記イオン導入電極及び／又は前記基準電極は、身体の所定の部位に巻回して固定される帯状の部材の内側面に取り付けられていることを特徴とする請求項１ないし４のいずれか１項に記載の体内脂肪刺激装置。
【請求項６】
前記イオン導入電極及び／又は前記基準電極は、身体に着用可能な被服の内側面に取り付けられていることを特徴とする請求項１ないし５のいずれか１項に記載の体内脂肪刺激装置。
【請求項７】
体脂肪の燃焼作用を誘起させる物質を含む薬液を身体の体脂肪刺激対象部分の皮膚表面に供給するステップと、
前記体脂肪刺激対象部分の皮膚表面に供給された薬液にイオン導入電極を接触させるステップと、
前記体脂肪刺激対象部分と異なる部位の皮膚表面に基準電極を接触させるステップと、
前記各々配置された前記イオン導入電極と前記基準電極との間に電圧を印加するステップと
を有することを特徴とする体内脂肪刺激方法。
【請求項８】
前記体脂肪の燃焼作用を誘起させる物質は、水溶性ビタミンＣ誘導体であることを特徴とする請求項７記載の体内脂肪刺激方法。
【請求項９】
前記身体に接触させた前記イオン導入電極と前記基準電極との間を流れる電流の値は、０．０１〜３ｍＡの範囲内に設定されることを特徴とする請求項７又は８記載の体内脂肪刺激方法。
【発明の詳細な説明】
【技術分野】
【０００１】
本発明は、体内の脂質代謝に関連する美容、治療、及び／又は痩身等を行うための体内脂肪刺激装置及び体内脂肪刺激方法に関する。
【背景技術】
【０００２】
人体では、その生体を維持するために休みなく生体電流が流れ細胞活動や筋肉の収縮運動が行われている。そこで、外部から人為的にパルス電流を供給し体内を刺激することで、生体電流と同様に細胞活動を活性化させ筋肉の収縮運動を喚起して生体機能の向上を図るパルス健康器が利用されている（例えば、特許文献１参照）。
【０００３】
この種のパルス健康器は、５Ｈｚ〜１００Ｈｚ程度の比較的低周波のパルス電流を身体に供給することで、筋肉組織を刺激して代謝機能の活性化を図り、これにより、痩身トリートメントを実現するものである。
【特許文献１】特開２００２−３４５９７９号公報
【発明の開示】
【発明が解決しようとする課題】
【０００４】
しかしながら、このような従来のパルス健康器では、筋肉組織の刺激により痩身トリートメントを行うものであるため、例えば皮下脂肪や内臓脂肪、又は角質化されたセルライト等を除去する効果としては、必ずしも十分であるとはいえず、その改善が求められている。
【０００５】
そこで本発明は、このような課題を解決するためになされたもので、体内の脂質代謝の向上を図ることで、皮下脂肪や内臓脂肪等を効果的に除去できる体内脂肪刺激装置及び体内脂肪刺激方法の提供を目的とする。
【課題を解決するための手段】
【０００６】
上記目的を達成するために、本発明に係る体内脂肪刺激装置は、体脂肪の燃焼作用を誘起させる物質を含む薬液が含浸される含浸部を表面に有し、この含浸部を身体の体脂肪刺激対象部分の皮膚表面に接触させるようにして配置されるイオン導入電極と、前記体脂肪刺激対象部分と異なる部位の皮膚表面に接触させるようにして配置される基準電極と、前記イオン導入電極と前記基準電極との間に電圧を印加する電圧印加手段とを具備することを特徴とする。
【０００７】
本発明によれば、体脂肪の燃焼作用を誘起させる物質である、例えば水溶性ビタミンＣ誘導体等を含む薬液を皮膚内にイオン導入することで、この皮膚内に導入されたイオン物質により体内の脂肪が刺激されて脂質代謝が向上し、これにより、皮下脂肪、内臓脂肪、セルライト等を効果的に除去することができる。
【０００８】
ここで、本発明の体内脂肪刺激装置のイオン導入電極においては、この電極の表面部分に複数の微細な空孔等を形成しこの部位を含浸部としてもよいし、また、不織布等の布状の部材を電極の外形部分に一体的に設けることでこれを含浸部としてもよい。さらに、含浸部はイオン導入の促進効果を考慮した場合、導電性の材料で形成されていることが好ましい。また、含浸部を、イオン導入電極の本体部分と別体で形成し、イオン導入電極の表面部分に装着可能に構成してもよいし、また、体脂肪刺激対象部分の皮膚表面との間に、別体で形成された含浸部（含浸部材）を挟むようにして、イオン導入電極を配置するようにしてもよい。
【０００９】
さらに、水溶性ビタミンＣ誘導体等の薬液をイオン導入する場合、前記イオン導入電極と前記基準電極との間を流れる電流値は、人体の抵抗値を考慮して電極間に印加すべき電圧を求め、０．０１〜３ｍＡの範囲内に設定されることが好ましく、特に０．０１〜０．８ｍＡの範囲内にあることがより望ましい。さらに、この場合の電流値は、０．２〜０．５ｍＡの範囲内に設定されれば最適である。また、イオン導入電極及び前記基準電極間への電圧の印加により、身体に供給される電流は、パルス電流等であってもよいし直流であってもよい。上記パルス電流を供給する場合には、パルス電流の周波数は、１ＫＨｚ以上であることが好ましく、特に１３００Ｈｚ以上であることがより望ましい。
【００１０】
また、本発明の体内脂肪刺激装置の前記イオン導入電極と前記基準電極とは、身体の所定の部位に巻回して固定される帯状の部材の内側面に取り付けるようにしてもよいし、また、身体に着用可能な被服の内側面に取り付けるようにしてもよい。これにより、身体の所定の部位に対しイオン導入電極及び基準電極を各々に固定することができる。
【００１１】
さらに、本発明の体内脂肪刺激方法は、体脂肪の燃焼作用を誘起させる物質を含む薬液を身体の体脂肪刺激対象部分の皮膚表面に供給するステップと、前記体脂肪刺激対象部分の皮膚表面に供給された薬液にイオン導入電極を接触させるステップと、前記体脂肪刺激対象部分と異なる部位の皮膚表面に基準電極を接触させるステップと、前記各々配置された前記イオン導入電極と前記基準電極との間に電圧を印加するステップとを有することを特徴とする。
【発明の効果】
【００１２】
このように本発明によれば、体内の脂質代謝の向上を図ることで、皮下脂肪や内臓脂肪等を効果的に除去できる体内脂肪刺激装置及び体内脂肪刺激方法を提供できる。
【発明を実施するための最良の形態】
【００１３】
以下、本発明を実施するための最良の形態を図面に基づき説明する。
（第１の実施形態）
図１は、本発明の第１の実施形態に係る体内脂肪刺激装置の構成を概略的に示す図、図２は、その機能ブロック図、図３は、この体内脂肪刺激装置のウエスト装着用ベルトに設けられたイオン導入電極の構造を示す断面図、図４は、図１の体内脂肪刺激装置のウエスト装着用ベルト及び大腿装着用ベルトが身体に装着された状態を概略的に示す図である。
【００１４】
図１及び図２に示すように、この実施形態に係る体内脂肪刺激装置１は、体脂肪の燃焼作用を誘起させる物質を含む薬液を人体の皮膚内部にイオン導入して体内の脂肪組織を刺激し、美容や痩身等のトリートメントを行う装置である。すなわち、この体内脂肪刺激装置１は、ユーザにより携帯可能なサイズで形成されたコントロール装置５と、コントロール装置５にケーブル１４、１５を介してそれぞれ接続されたウエスト装着用ベルト２及び大腿装着用ベルト３とから構成されている。ウエスト装着用ベルト２には、図１及び図３に示すように、上記薬液が含浸される含浸部９ａを表面に有するイオン導入電極９が設けられている。ウエスト装着用ベルト２は、その一端部に面ファスナ８が設けられており、図４に示すように、体脂肪刺激対象部分としての臍部周辺の腹部Ｆにおける皮膚Ｓの表面に含浸部９ａを接触させるようにしてウエスト部分に巻回され身体に固定される。
【００１５】
また、図１及び図３に示すように、ウエスト装着用ベルト２は、例えばポリウレタンやナイロン等の合成繊維を縫製し伸縮性が高く且つ通気性の良好な絶縁素材で当該ベルトの基本形状をなすベルト本体２０を有している。このベルト本体２０の素材としては、身体からのずれ落ちを防ぐ伸縮材質である、例えばプリウレタン繊維等が例示される。また、このベルト本体２０の通気性を高めるために、その素材の構造をメッシュ構造にすること等が望ましい。イオン導入電極９は、可とう性及び伸縮性を有する面状電極であり、帯状のウエスト装着用ベルト２の内側面（身体との接触面）側に設けられている。詳細には、イオン導入電極９は、ベルト本体２０上に設けた帯状シートの表面に導電性のカーボンインクが例えばグラビア印刷され、さらに熱プレスによって熱溶着されて構成される。なお、イオン導入電極９を、前記帯状シート表面にアルミ箔を接着して形成したり、またゴムやシリコンに金属粉末を混入したもので形成してもよい。また、イオン導入電極９の表面には、凹凸が形成されており、この凹凸は、身体の皮膚表面に当該電極の表面全体が密接してしまうことを回避するために設けられている。
【００１６】
ここで、このようなイオン導入電極９の表面部分には、複数の微細な空孔２１が形成されており、この部位が含浸部９ａとして構成されている。また、これに代えて、吸水性が良好でしかも保湿性に優れる不織布等の布状の部材をイオン導入電極９の外形部分に一体的に設けることでこれを含浸部９ａとしてもよい。このような含浸部９ａには、体脂肪の燃焼作用を誘起させる物質として例えば水溶性ビタミンＣ誘導体を含む溶液が含浸されている。また、図５及び図６に示すように、上記構成に代えて、イオン導入電極３０と薬液が含浸される含浸部材３１とを別体にし、体脂肪刺激対象部分の皮膚Ｓの表面とイオン導入電極３０との間に、この含浸部材３１を挟むようにして身体に巻回されるウエスト装着用ベルト３２を構成してもよい。ここで、含浸部材３１は、ウエスト装着用ベルト３２に設けられた被装着部３１ａに対し、着脱自在に構成されていてもよい。
【００１７】
一方、大腿装着用ベルト３は、図１及び図４に示すように、上記体脂肪刺激対象部分と異なる部位（大腿部）の皮膚表面に接触させることができるように、当該ベルト本体の内側面に基準電極１２を備えている。大腿装着用ベルト３は、その一端部に面ファスナ１１を有しており、大腿部に巻回されてこの面ファスナ１１を通じて身体に固定される。基準電極１２も、イオン導入電極９と同様に、可とう性及び伸縮性を有する例えば面状のカーボン電極等として構成されている。
【００１８】
コントロール装置５は、図１及び図２に示すように、電源スイッチ１６、始動スイッチ１７、導入イオンタイプ切替スイッチ１８ａ、時間設定スイッチ１８ｂ、及び出力レベル設定スイッチ１８ｃを有する入力部１８と、液晶ディスプレイ等で実現されるの表示部１９と、パルス発生器２２を備えるイオン導入回路２４と、コントロール装置本体の各部を統括的に制御する制御部２３とを備えている。このようなコントロール装置５をウエスト装着用ベルト２の本体部分に対し取り付け可能に構成してもよい。電源スイッチ１６は、装置本体の電源をＯＮ／ＯＦＦする。コントロール装置５の駆動電源は、充電池、乾電池、ＡＣアダプタ等により供給される。始動スイッチ１７は、トリートメントを始動させるためのスイッチである。時間設定スイッチ１８ｂは、トリートメントの時間を、例えば１０分、６０分、４時間等の時間間隔に設定すること可能である。
【００１９】
出力レベル設定スイッチ１８ｃは、イオン導入電極９と基準電極１２との間を流れる電流値を、例えば０．４ｍＡ、１．０ｍＡ、１．５ｍＡ等といった値に設定するためのスイッチである。ここで、この場合の電流値は、０．０１〜３ｍＡの範囲内に設定されることが好ましく、特に０．０１〜０．８ｍＡの範囲内に設定されることがより望ましい。さらに、当該電流値が、０．２〜０．５ｍＡの範囲内に設定されれば、より好適なトリートメントを行うことが可能となる。また、人体のインピーダンス（抵抗値）をモニターする機能をコントロール装置５に付加してもよい。さらに、６０分や４時間の長時間のトリートメントを設定する場合、出力レベルを時間の経過に応じて上下させる制御を行ってもよい。
【００２０】
導入イオンタイプ切替スイッチ１８ａは、皮膚内に導入すべき薬液がプラスイオンである場合と、マイナスイオンである場合とを切替える。すなわち、マイナスイオンをイオン導入する場合、導入イオンタイプ切替スイッチ１８ａを通じて、イオン導入電極９がマイナス極性、基準電極１２がプラス極性になるように切替操作を行う。一方、プラスイオンをイオン導入する場合、イオン導入電極９がプラス極性、基準電極１２がマイナス極性になるように切替操作を行う。詳細には、導入すべき薬液が、本実施形態のように水溶性ビタミンＣ誘導体を含む場合、イオン導入電極９がマイナス極性、基準電極１２がプラス極性に設定される。また、パルス発生器２２を備えるイオン導入回路２４は、イオン導入電極９と基準電極１２との間に例えば周波数が１５００Ｈｚでデューティ比５０％のパルス電圧を印加する。ここで、電極間に印加されるパルス電圧の周波数は、上記したように１ＫＨｚ以上であることが好ましく、特に１３００Ｈｚ以上であることがより望ましい。
【００２１】
したがって、このように構成された体内脂肪刺激装置１によれば、体脂肪の燃焼作用を誘起させる水溶性ビタミンＣ誘導体を皮膚内にイオン導入することで、この皮膚内に導入されたこのビタミンＣにより体内の皮下脂肪が刺激されて脂質代謝が向上し、これにより、皮下脂肪、内臓脂肪、セルライト等を効果的に除去することができる。
【００２２】
（第２の実施形態）
この実施形態に係る体内脂肪刺激装置では、第１の実施形態の体内脂肪刺激装置１が備えていたウエスト装着用ベルト２に代えて、図７に示すように、被服２５が適用されている。被服２５の内側面には、身体への着用時に、臍部周辺の腹部Ｆの皮膚表面に接触する位置に配置された第１の実施形態と同様の含浸部９ａを有するイオン導入電極９が設けられている。したがって、この実施形態によれば、イオン導入電極を備える身体への装着部材が、被服として構成されているので、イオン導入によるトリートメントと例えば運動とを併用したかたちでトリートメントを行えるので、高い痩身効果等を期待できる。
【００２３】
（第３の実施形態）
この実施形態に係る体内脂肪刺激装置では、第１の実施形態の体内脂肪刺激装置１が備えていたウエスト装着用ベルト２に代えて、図８に示すように、顎・首部装着用マスク２６が適用されている。顎・首部装着用マスク２６は、装着用ベルト２８、２９を備えており、これら装着用ベルト２８、２９を首部の側面から背面にわたって巻回することで、首筋部分の周辺及び顎部を覆うようにして装着される。顎・首部装着用マスク２６のマスク本体２６ａの内側面には、装着時に、首筋周辺部Ｋ及び顎部Ａの皮膚表面に接触する位置に配置された（第１の実施形態のイオン導入電極９と同一構造の）イオン導入電極２７が設けられている。したがって、この実施形態の体内脂肪刺激装置によれば、首筋の贅肉部分の除去やいわゆる二重顎等を改善することができる。
【００２４】
以上、本発明を各実施の形態により具体的に説明したが、本発明はこれらの実施形態にのみ限定されるものではなく、その要旨を逸脱しない範囲で種々変更可能である。例えば、上述した実施形態の体内脂肪刺激装置では、腹部Ｆ、首筋周辺部Ｋ、顎部Ａ等を体脂肪刺激対象部分とするものであったが、これに加えて、腕部、大腿部、腰部、臀部等にイオン導入電極を接触させることができるように体内脂肪刺激装置を構成してもよい。また、基準電極を大腿部に接触させるタイプから腕部等に接触させるタイプに変更してもよい。
【００２５】
次に、本発明を実施例によりさらに詳述する。
すなわち、この実施例は、脂肪細胞や皮膚組織に微弱電流を付加しその脂肪滴をアディポレッドやオイルレッドＯといった脂肪選択的染色剤で染色し、さらに、Ｏｒｃｈａ画像解析とＮＩＨＩｍａｇｅによって脂肪滴の増減をＯＤ ｕｎｉｔ/ｍｍ2といった単位でスコア化する評価方法である。この評価方法では、一般に、オレイン酸等の単一の脂肪酸を細胞や組織に添加し脂肪滴を人為的に形成していた方法に代え、より臨床状況に近似させるため、ラット等に均質の魚エキスや牛脂を経口摂取させて採血した血液に豊富に含有されるトリグリセリド、リン脂質、ＮＥＦＡ（遊離脂肪酸）とこれらを取込んだリポプロテインをも含有する血清を付与する方法で脂肪滴を細胞内に形成させ、その脂肪滴を抑制する効果を計測する評価システムを用いている。
【００２６】
（実施例１）
マウス由来脂肪細胞３Ｔ３−Ｌ１は、脂肪酸を添加しなくとも細胞内に多量の脂肪滴を形成するが、さらに、牛肉エキス（Ｂｅｅｆ Ｅｘｔｒａｃｔ Ｂａｃｔｏ 和光純薬工業製５２４−００２９５）、牛脂（Ｂｅｅｆ Ｔａｌｌｏｗ 同０２１−００５１５）、魚肉エキス（Ｅｘｔｒａｃｔ Ｂｏｎｉｔｏ 同０５２−０２０２５）の１：１：２（ｗ／ｗ）混合物を４％添加した飼料で、１週間飼育したｄｄＹマウスから採血した血清を１．５％添加したＤＭＥＭ培地で４日間培養すると、脂肪滴を顕著に増加させた。この細胞の培養は、Ｆａｌｃｏｎ製の内径６０ｍｍの培養ディッシュに直径５８ｍｍのオートクレーブ滅菌アルニウムディスクを敷いた上に培養した。この後に体内脂肪刺激装置１から防水絶縁リード線で派生したイオン導入電極（マイナス極端子）９を培地表面にあてがい、同じく防水絶縁リード線で派生した基準電極（プラス電極端子）１２はアルミディスクに接続した。
【００２７】
微弱通電モードは波形として、Ｃｉｒｃｕｌａｒ Ｒ波で、１５００Ｈｚの周波数、実測電流はマルチメータで計測して０．３ｍＡの電流値、デューティ比５０％、Ｒｅｖｅｒｓａｌの電気極性リセットで実施した。この後、オイルレッドＯで染色した細胞をリンスしてから細胞内容物を２−プロパノールで抽出して５２０ｎｍで吸光プレートリーダで計測した結果、通電直前の脂肪滴は、細胞２０万個換算で、０．５３４±０．０３９ ＯＤ ｕｎｉｔだったが、通電後２４時間で０．２４５±０．０６３ ＯＤ ｕｎｉｔ、非通電での２４時間後で０．５５２±０．０９４ ＯＤ ｕｎｉｔとなり、微弱通電による脂肪滴減少効果が検証された。この時、ビタミンＣ誘導体のＡｓｃ２Ｐ・Ｎａ（アスコルビン酸−２−Ｏ−リン酸エステルのナトリウム塩、昭和電工株式会社製造）を５％の濃度で培地中に添加して非通電で２４時間経過しただけの場合、脂肪滴は０．５１４±０．０６８ ＯＤ ｕｎｉｔだったが、通電して２４時間経過すると、０．１６０±０．０２７ ＯＤ ｕｎｉｔに減少し、ビタミンＣ誘導体と微弱通電との相加効果が見い出された。
【００２８】
（実施例２）
ヒト摘出皮膚片（４７才、女性、耳介後）を４等分して各々の皮膚小片（直径３ｍｍ、深さ４ｍｍ）をＤＭＥＭ培地中外径１４ｍｍのＢｒｏｎａｕｇｈ拡散チェンバで器官培養し、この時、牛肉エキス（Ｂｅｅｆ Ｅｘｔｒａｃｔ Ｂａｃｔｏ 和光純薬工業製５２４−００２９５）、牛脂（Ｂｅｅｆ Ｔａｌｌｏｗ 同０２１−００５１５）、魚肉エキス（Ｅｘｔｒａｃｔ Ｂｏｎｉｔｏ 同０５２−０２０２５）の１：１：２（ｗ／ｗ）混合物を４％添加した飼料で、１週間飼育したｄｄＹマウスから採血した血清を１．５％添加したＤＭＥＭ培地で７日間培養すると、皮下組織に脂肪滴を顕著に増加させた。この器官培養は、Ｆａｌｃｏｎ製の２４穴マイクロプレートリーダの内径１６ｍｍの穴にＢｒｏｎａｕｇｈ拡散チェンバを設置した。
【００２９】
この後に体内脂肪刺激装置１から防水絶縁リード線で派生したイオン導入電極（マイナス極端子）９を皮膚小片の角質層にあてがい、同じく防水絶縁リード線で派生した基準電極（プラス電極端子）１２は皮膚小片の皮下側に接続した。微弱通電モードは、波形としてＣｉｒｃｕｌａｒ Ｒ波で１５００Ｈｚの周波数、実測電流は、マルチメータで計測して０．３ｍＡの電流値、デューティ比５０％、Ｒｅｖｅｒｓａｌの電気極性リセットで実施した。この後、クライオスタットで垂直方向に４μｍ厚に薄切片を切り出してオイルレッドＯで染色しリンスしてから皮膚片内容物を２−プロパノールで抽出して５２０ｎｍで吸光プレートリーダで計測した結果、非通電２４時間の脂肪滴は、組織２００ｍｇ換算で０．１７６±０．０２２ ＯＤ ｕｎｉｔだったが、通電２４時間後で０．０８５±０．０１４ ＯＤ ｕｎｉｔに減少し、微弱通電による脂肪滴減少効果が検証された。この時、ビタミンＣ誘導体のＡｓｃ２Ｐ・Ｎａ（アスコルビン酸２−Ｏ−リン酸エステルのナトリウム塩、昭和電工株式会社製造）を２０％の濃度で培地中に添加して非通電で２４時間経過しただけの場合、脂肪滴は、０．１８４±０．０４３ ＯＤ ｕｎｉｔと不変だったが、通電して２４時間経過すると、０．０２９±０．００４０ ＯＤ ｕｎｉｔに減少し、ビタミンＣ誘導体と微弱通電との相乗効果が見い出された。
【００３０】
（実施例３）
３６才の男性でＢｏｄｙ Ｍａｓｓ Ｉｎｄｅｘが、２７．４（肥満１度）の被検者に臍周りのＭＩＲ画像を撮影し、施行前は、内臓脂肪面積は２０３．４ｃｍ2、皮下脂肪面積は、腹側左６１．６ｃｍ2、腹側右５９．１ｃｍ2、背側３４．６ｃｍ2だった。体内脂肪刺激装置１を腹側に適用し微弱通電のモードは、波形としてＣｉｒｃｕｌａｒ Ｒ波で１５００Ｈｚの周波数、実測電流は、マルチメータで計測し、０．３ｍＡの電流値、デューティ比５０％、Ｒｅｖｅｒｓａｌの電気極性リセットで一日１０時間で３０日間実施した。この時、イオン導入電極（マイナス極端子）９は、５００ｍｍ、左右幅Ｘ２５０ｍｍ縦の不織布パッドに接続させ、パッドは、臍を中心に横長にあてがった。体内脂肪刺激装置１のコントロール装置５自体は、ウエスト装着用ベルト２から２本のストリングを掛けて吊るす形で腰背側に設置した。
【００３１】
パッドの腹側右は、ＰＢＳ（−）（Ｃａ，Ｍｇ−ｆｒｅｅ ｐｈｏｓｐｈａｔｅ ｂｕｆｆｅｒｅｄｓａｌｉｎｅ）で通電、腹側左は、ビタミンＣ誘導体のＡｓｃ２Ｐ・Ｎａ（アスコルビン酸−２−Ｏ−リン酸エステルのナトリウム塩、昭和電工株式会社製造）を２０％の濃度にＭｉｌｌｉＱ超純水に溶解させて通電させた。３０日間施行後、ＰＢＳ（−）だけで通電した腹側右の皮下脂肪は５４．４ｃｍ2と減少し、Ａｓｃ２Ｐ・Ｎａで通電した腹側左の皮下脂肪は５１．７ｃｍ2と顕著に減少した。背側の皮下脂肪は、３４．０ｃｍ2、内臓脂肪は１９８．５ｃｍ2とやや減少した。この結果より体内脂肪刺激装置１は、適用した皮下脂肪に選択的に減少効果をもたらすとともに、ビタミンＣ誘導体の併用は、この皮下脂肪減少効果を助長することが示された。
【図面の簡単な説明】
【００３２】
【図１】本発明の第１の実施形態に係る体内脂肪刺激装置の構成を概略的に示す図。
【図２】図１の体内脂肪刺激装置の構成を示す機能ブロック図。
【図３】図１の体内脂肪刺激装置のウエスト装着用ベルトに設けられたイオン導入電極の構造を示す断面図。
【図４】図１の体内脂肪刺激装置のウエスト装着用ベルト及び大腿装着用ベルトが身体に装着された状態を概略的に示す図。
【図５】図３のウエスト装着用ベルトのイオン導入電極と構造の異なる他のイオン導入電極を備えたウエスト装着用ベルトを概略的に示す図。
【図６】図５のウエスト装着用ベルトに設けられたイオン導入電極の構造を示す断面図。
【図７】本発明の第２の実施形態に係る体内脂肪刺激装置の被服が身体に着用された状態を概略的に示す図。
【図８】本発明の第３の実施形態に係る体内脂肪刺激装置の顎・首部装着用マスクが顎・首部に装着された状態を概略的に示す図。
【符号の説明】
【００３３】
１…体内脂肪刺激装置、２，３２…ウエスト装着用ベルト、３…大腿装着用ベルト、５…コントロール装置、９，２７，３０…イオン導入電極、９ａ…含浸部、２１…空孔、２５…被服、２６…顎・首部装着用マスク、３１…含浸部材。
【図１】
2005253754.tif 000003
【図２】
2005253754.tif 000004
【図３】
2005253754.tif 000005
【図４】
2005253754.tif 000006
【図５】
2005253754.tif 000007
【図６】
2005253754.tif 000008
【図７】
2005253754.tif 000009
【図８】
2005253754.tif 000010